(57)【要約】【課題】  導光板ユニット及び液晶表示装置において、高温高湿下での反射シートの歪み発生を防ぐこと。【解決手段】  反射シート２と、該反射シート２上に設置される導光板と、少なくとも対向する二辺の部分が反射シート２の外周部上に接着されて該反射シート２及び導光板を支持する枠状のホルダー４と、を備え、反射シート２とホルダー４とが、接着される外周部の辺に沿って互いに間隔を空けて配された複数の接着領域で両面テープによって接着されている。【選択図】図１
2011028874.tif 000002
【特許請求の範囲】
【請求項１】
反射シートと、
該反射シート上に設置される導光板と、
少なくとも対向する二辺の部分が前記反射シートの外周部上に接着されて該反射シート及び前記導光板を支持する枠状のホルダーと、を備え、
前記反射シートと前記ホルダーとが、接着される前記外周部の辺に沿って互いに間隔を空けて配された複数の接着領域で接着部材によって接着されていることを特徴とする導光板ユニット。
【請求項２】
請求項１に記載の導光板ユニットにおいて、
前記反射シートが、接着される前記外周部の辺に互いに間隔を空けて配され外方に向けて突出した複数の突出部を有し、これら突出部を前記接着領域として前記ホルダーに接着されていることを特徴とする導光板ユニット。
【請求項３】
請求項１に記載の導光板ユニットにおいて、
前記接着部材が、両面テープであり、
前記反射シートの接着される前記外周部の辺が、直線状とされ、
前記反射シートと前記ホルダーとが、複数の前記両面テープによって接着されていることを特徴とする導光板ユニット。
【請求項４】
液晶表示パネルと、
該液晶表示パネルの裏面側に配された請求項１から３のいずれか一項に記載の導光板ユニットと、
前記導光板に光を照射して導光させる光源と、を備えていることを特徴とする液晶表示装置。
【発明の詳細な説明】
【技術分野】
【０００１】
本発明は、液晶表示パネルなどの照明に用いる導光板ユニット及び液晶表示装置に関する。
【背景技術】
【０００２】
携帯電話機、ノートＰＣ（パーソナルコンピュータ）、カーナビゲーション装置、モバイルタイプＰＣ、ＰＤＡ、ＡＴＭ（現金自動預け払い機）等のディスプレイには、画像表示のための液晶表示装置が広く採用されている。この液晶表示装置には、液晶表示パネルの裏面側から光を照射して表示画面の輝度を高めるバックライトユニットが用いられている。
【０００３】
このバックライトユニットには、蛍光管やＬＥＤ等の光源からの光を導光して主面全体から液晶表示パネルに向けて出射させる導光板が用いられている。
このような導光板を支持する構造としては、従来、例えば特許文献１には、平板状の導光板の周囲を囲んで支持する樹脂製の枠体（ホルダー）が用いられている。
また、近年、装置の薄型化に伴ってバックライトユニットの薄型化が要望されており、特に薄い導光板としてフィルム状導光板の採用が多くなっている（特許文献２参照）。
【先行技術文献】
【特許文献】
【０００４】
【特許文献１】特開２００６−３１８８３０号公報（図１）
【特許文献２】特開２００６−１６４８７７号公報（図１）
【発明の概要】
【発明が解決しようとする課題】
【０００５】
しかしながら、上記従来の技術には、以下の課題が残されている。
すなわち、従来、導光板をホルダーに保持させる際、フレームであるホルダーの下面に配した反射シートの２辺に両面テープを用いてホルダー及び反射シートを互いに接着固定しているが、部品間の熱膨張率の違いから高温高湿下等において反射シートに歪みが発生してしまう不都合があった。特に、この不都合は、肉厚が薄い反射シートを用いると顕著に現れてしまう。
【０００６】
本発明は、前述の課題に鑑みてなされたもので、高温高湿下等での反射シートの歪み発生を防ぐことができる導光板ユニット及び液晶表示装置を提供することを目的とする。
【課題を解決するための手段】
【０００７】
本発明は、前記課題を解決するために以下の構成を採用した。すなわち、本発明の導光板ユニットは、反射シートと、該反射シート上に設置される導光板と、少なくとも対向する二辺の部分が前記反射シートの外周部上に接着されて該反射シート及び前記導光板を支持する枠状のホルダーと、を備え、前記反射シートと前記ホルダーとが、接着される前記外周部の辺に沿って互いに間隔を空けて配された複数の接着領域で接着部材によって接着されていることを特徴とする。
【０００８】
この導光板ユニットでは、反射シートとホルダーとが、接着される外周部の辺に沿って互いに間隔を空けて配された複数の接着領域で接着されているので、熱膨張率差で生じた反射シートの撓みが、各接着領域間で複数に分散されることで緩和され、反射シート全体の歪みを抑制することができる。すなわち、高温高湿下等において熱膨張率差で生じた反射シートの撓みが、各接着領域間で複数に分散されてそれぞれの撓み量が小さくなると共に、接着部材の伸縮が各接着領域間の撓み量に対して追従可能になることで、全体の歪みを抑制することが可能になる。これにより、歪みより生じてしまう輝度ムラ等を抑制することができる。
なお、ここで導光板としては、薄板状の導光板やフィルム状導光板を含む。
【０００９】
また、本発明の導光板ユニットは、前記反射シートが、接着される前記外周部の辺に互いに間隔を空けて配され外方に向けて突出した複数の突出部を有し、これら突出部を前記接着領域として前記ホルダーに接着されていることを特徴とする。
すなわち、この導光板ユニットでは、反射シートが、接着される外周部の辺に互いに間隔を空けて配され外方に向けて突出した複数の突出部を有し、これら突出部を接着領域としてホルダーに接着されているので、突出部自体が撓むことで反射シート全体と接着部材との熱膨張率差による伸縮差を緩和することができ、さらに全体の歪みを抑制することができる。
【００１０】
また、本発明の導光板ユニットは、前記接着部材が、両面テープであり、前記反射シートの接着される前記外周部の辺が、直線状とされ、前記反射シートと前記ホルダーとが、複数の前記両面テープによって接着されていることを特徴とする。
すなわち、この導光板ユニットでは、反射シートとホルダーとが、接着される外周部の直線状の辺に沿って互いに間隔を空けて配された複数の両面テープによって接着されているので、特に反射シートの辺に突出部等の加工を施さず、複数の両面テープにより簡易にかつ容易に反射シートとホルダーとを接着することができる。
【００１１】
本発明の液晶表示装置は、液晶表示パネルと、該液晶表示パネルの裏面側に配された上記本発明の導光板ユニットと、前記導光板に光を照射して導光させる光源と、を備えていることを特徴とする。
すなわち、この液晶表示装置では、液晶表示パネルの裏面側に配された上記本発明の導光板ユニットを備えているので、高温高湿環境でも高信頼性を有する液晶画像表示が得られる。
【発明の効果】
【００１２】
本発明によれば、以下の効果を奏する。
すなわち、本発明に係る導光板ユニットによれば、反射シートとホルダーとが、接着される外周部の辺に沿って互いに間隔を空けて配された複数の接着領域で接着されているので、熱膨張率差で生じた反射シートの撓みが、各接着領域間で複数に分散されることで緩和され、反射シート全体の歪みを抑制することができる。
したがって、この導光板ユニットを備えた液晶表示装置によれば、信頼性の高い画像表示が得られる。
【図面の簡単な説明】
【００１３】
【図１】本発明に係る導光板ユニット及び液晶表示装置の第１実施形態において、導光板ユニットを示す裏面側からみた斜視図である。
【図２】第１実施形態において、両面テープを貼り付けた反射シートを示す裏面図である。
【図３】第１実施形態において、両面テープを貼り付けた反射シートを示す要部の拡大裏面図である。
【図４】第１実施形態において、バックライトユニットを示す斜視図である。
【図５】第１実施形態において、液晶表示装置を示す要部の拡大断面図である。
【図６】第１実施形態において、高温時及び冷却時における反射シートの撓み状態を示す説明図である。
【図７】本発明に係る導光板ユニット及び液晶表示装置の第２実施形態において、両面テープを貼り付けた反射シートを示す裏面図である。
【図８】第２実施形態において、液晶表示装置を示す要部の拡大裏面図である。
【図９】本発明に係る導光板ユニット及び液晶表示装置の第３実施形態において、両面テープを貼り付けた反射シートを示す裏面図である。
【図１０】第３実施形態において、液晶表示装置を示す要部の拡大裏面図である。
【発明を実施するための形態】
【００１４】
以下、本発明に係る導光板ユニット及び液晶表示装置の第１実施形態を、図１から図６に基づいて説明する。なお、以下の説明に用いる各図面では、各部材を認識可能な大きさとするために縮尺を適宜変更している。
【００１５】
本実施形態における導光板ユニット１は、図１から図４に示すように、反射シート２と、該反射シート２上に設置される導光板３と、対向する二辺の部分が反射シート２の外周部上に接着されて該反射シート２及び導光板３を支持するフレームである枠状のホルダー４と、を備えている。
【００１６】
上記反射シート２とホルダー４とは、接着される外周部の辺に沿って互いに間隔を空けて配された複数の接着領域で両面テープ（接着部材）５によって接着されている。
すなわち、上記反射シート２は、接着される外周部の辺に互いに間隔を空けて配され外方に向けて突出した複数の突出部２ａを有し、これら突出部２ａを接着領域としてホルダー４に接着されている。上記複数の突出部２ａは、反射シート２における外周部の辺に間隔を空けて複数の切り欠きを形成することで設けられている。
【００１７】
この反射シート２は、光反射機能を有する金属板、フィルム、箔等、銀蒸着膜を設けたフィルムや、アルミ金属蒸着膜を設けたフィルム、白色シートなどが採用可能であり、本実施形態では、例えばポリエステル系樹脂を用いた多層膜構造の反射フィルムを用いている。
上記ホルダー４は、例えば樹脂製であって矩形枠状に射出成型で作製されたものである。
【００１８】
上記導光板３は、側端面に配した光源Ｌから入射され導光した光を光路変換して主面側から面状に出射する薄板状又はフィルム状の導光体である。例えば、導光板３は、ポリカーボネイト樹脂やアクリル樹脂等の透光性樹脂材料で構成されている。なお、導光板３の表面（主面）及び裏面の少なくとも一方に、白色ドット印刷やプリズム形状等の微細光学形状を施して輝度調整を行っても構わない。
この導光板３は、所定の長方形状とされ、ホルダー４の内側に配されていると共に反射シート２上に貼り付けられている。
【００１９】
また、本実施形態における液晶表示装置１０は、例えば携帯電話機、電子辞書、デジタルカメラ、携帯ミュージックプレーヤー、ノートＰＣ、カーナビゲーション装置、モバイルタイプＰＣ、ＰＤＡ、ＡＴＭ等の液晶ディスプレイに適用される液晶表示装置であって、図４及び図５に示すように、液晶表示パネル１１と、該液晶表示パネル１１の裏面側に配された上記導光板ユニット１と、導光板３に光を照射して導光させる光源Ｌと、を備えている。
【００２０】
さらに、この液晶表示装置１０では、導光板３上に、導光板３からの光を拡散させて面内の光強度を均一にする拡散シート１２と、拡散シート１２上に配され拡散シート１２からの光を液晶表示パネル１１に向けた上方向への照射光として出射する第１プリズムシート１３Ａ及び第２プリズムシート１３Ｂと、が設けられている。
また、第２プリズムシート１３Ｂの外周部上からホルダー４の内周部上には、遮光テープ１４が設置されている。
【００２１】
このように導光板ユニット１、光源Ｌ、拡散シート１２、第１プリズムシート１３Ａ及び第２プリズムシート１３Ｂ、遮光テープ１４によって液晶表示パネル１１のバックライトユニットが構成されている。
なお、本実施形態では、液晶表示パネル１１の画面側及び導光板ユニット１の光出射面側を表面側又は上面側として記載している。
【００２２】
上記液晶表示パネル１１は、透過型又は半透過型の液晶表示パネルが採用される。例えば、透過型の液晶表示パネル１１の場合、透明電極、配向膜及び偏光板をそれぞれ有する上基板と下基板との間隙に液晶材料をシール材で封止したＴＦＴ液晶方式、ＳＴＮ液晶方式やＴＮ液晶方式等のパネル本体を備えたものである。
上記拡散シート１２は、例えば、アクリル樹脂やポリカーボネイト樹脂などの透明樹脂にシリカ粒子などを分散させたシートである。
【００２３】
上記第１プリズムシート１３Ａは、拡散シート１２上に配され、上記第２プリズムシート１３Ｂは、第１プリズムシート１３Ａ上に配されている。第１プリズムシート１３Ａ及び第２プリズムシート１３Ｂは、拡散シート１２からの光を上面側に集光するための透明シート状の部材であり、平行な複数の稜線を有するプリズム部を上面側に有している。また、第１プリズムシート１３Ａは、光源Ｌの光軸に対して、プリズム部の稜線がねじれの位置に設定され、特に、上方への高い指向性が得られる方向として、光源Ｌの光軸に直交する方向と平行に設定される。また、第２プリズムシート１３Ｂは、光源Ｌの光軸に対して、プリズム部の稜線が平行に設定されている。すなわち、第１プリズムシート１３Ａと第２プリズムシート１３Ｂとは、互いのプリズム部の稜線がねじれの位置に配され、平面視で互いに稜線が直交している。
【００２４】
上記光源Ｌは、導光板３の一つの側端面に対向して複数設置されている。
これら光源Ｌは、フレキシブルプリント基板１５に実装されたＬＥＤ光源であって、本実施形態では、白色ＬＥＤが採用されている。この白色ＬＥＤは、例えば基板上の半導体発光素子を樹脂材で封止したものであり、半導体発光素子として、例えば青色（波長λ：４７０〜４９０ｎｍ）ＬＥＤ素子又は紫外光（波長λ：４７０ｎｍ未満）ＬＥＤ素子であって、例えばサファイア基板などの絶縁性基板上に窒化ガリウム系化合物半導体（例えばＩｎＧａＮ系化合物半導体）の複数の半導体層が積層されて形成されたものである。
【００２５】
また、この半導体発光素子を封止する樹脂材は、シリコーン樹脂を主剤とし、例えばＹＡＧ蛍光体が添加されている。このＹＡＧ蛍光体は、半導体発光素子からの青色光又は紫外光を黄色光に変換させて混色効果により白色光を生じさせるものである。なお、白色ＬＥＤとしては、上記以外でも種々のものが採用可能である。
【００２６】
このように本実施形態の導光板ユニット１では、反射シート２とホルダー４とが、接着される外周部の辺に沿って互いに間隔を空けて配された複数の接着領域で接着されているので、熱膨張率差で生じた反射シート２の撓みが、各接着領域間で複数に分散されることで緩和され、反射シート２全体の歪みを抑制することができる。
【００２７】
すなわち、図６の（ａ）に示すように、高温高湿下において熱膨張率差で生じた反射シート２の撓みが、各接着領域間で複数に分散されてそれぞれ撓み量が小さくなると共に、両面テープ５の伸縮が各接着領域間の撓み量に対して追従可能になることで、全体の歪みを抑制することが可能になる。したがって、高温高湿下で生じた各接着領域間の撓み量が小さいため、図６の（ｂ）に示すように、冷却時において各両面テープ５が追従して再び元の状態に戻り、全体として歪みが残らない。これにより、歪みより生じてしまう輝度ムラ等を抑制することができる。
【００２８】
また、反射シート２が、接着される外周部の辺に互いに間隔を空けて配され外方に向けて突出した複数の突出部２ａを有し、これら突出部２ａを接着領域としてホルダーに接着されているので、突出部２ａ自体が撓むことで反射シート２全体と両面テープ５との熱膨張率差による伸縮差を緩和することができ、さらに全体の歪みを抑制することができる。
このように本実施形態の液晶表示装置１０では、液晶表示パネル１１の裏面側に配された導光板ユニット１を備えているので、高温高湿環境でも高信頼性を有する液晶画像表示が得られる。
【００２９】
次に、本発明に係る導光板ユニット及び液晶表示装置の第２実施形態及び第３実施形態について、図７から図１０を参照して以下に説明する。なお、以下の各実施形態の説明において、上記実施形態において説明した同一の構成要素には同一の符号を付し、その説明は省略する。
【００３０】
第２実施形態と第１実施形態との異なる点は、第１実施形態では、反射シート２が、接着される外周部の辺に互いに間隔を空けて配され外方に向けて突出した複数の突出部２ａを有しているのに対し、第２実施形態の導光板ユニットでは、図７及び図８に示すように、反射シート２２の外周部に突出部２ａがなく、反射シート２２とホルダー４とが、接着される外周部の直線状の辺に沿って互いに間隔を空けて配された複数の両面テープ２５によって接着されている点である。
【００３１】
すなわち、第２実施形態では、接着領域となる複数の部分にそれぞれ両面テープ２５を貼り付けて反射シート２２とホルダー４とを接着している。このように、この導光板ユニットでは、反射シート２２とホルダー４とが、接着される外周部の直線状の辺に沿って互いに間隔を空けて配された複数の両面テープ２５によって接着されているので、特に反射シート２２の辺に突出部等の加工を施さず、複数の両面テープ２５により簡易にかつ容易に反射シート２２とホルダー４とを接着することができる。
【００３２】
また、第３実施形態と第１実施形態との異なる点は、第１実施形態では、両面テープ３５が各突出部２ａのみに貼り付けられているのに対し、第３実施形態の導光板ユニットは、図９及び図１０に示すように、反射シート２の接着される外周部の両辺にそれぞれ一本の両面テープ３５が辺全体にわたって貼り付けられている点である。すなわち、第３実施形態では、接着領域とならない各突出部２ａの間にも両面テープ３５が貼り付けられている。
【００３３】
したがって、これら第２実施形態の導光板ユニット及び第３実施形態の導光板ユニットでも、反射シート２，２２とホルダー４とが、接着される外周部の辺に沿って互いに間隔を空けて配された複数の接着領域で接着されているので、熱膨張率差で生じた反射シート２の撓みが、各接着領域間で複数に分散されることで緩和され、反射シート２，２２全体の歪みを抑制することができる。
【００３４】
なお、本発明は上記各実施形態に限定されるものではなく、本発明の趣旨を逸脱しない範囲において種々の変更を加えることができる。
【００３５】
例えば、上記各実施形態の液晶表示装置では、拡散シートを用いているが、拡散シートを省略したバックライトユニットとしても構わない。また、２枚のプリズムシートを用いているが、１枚のプリズムシートを採用したバックライトユニットとしても構わない。
さらに、上記実施形態では、導光板ユニットを液晶表示装置のバックライトとして採用しているが、携帯電話機等のキー照明として採用しても構わない。
また、上記各実施形態では、反射シートとホルダーとを両面テープを用いて接着しているが、他の接着部材として接着剤等で接着しても構わない。
【符号の説明】
【００３６】
１…導光板ユニット、２，２２…反射シート、２ａ…突出部、３…導光板、４…ホルダー、５，２５，３５…両面テープ（接着部材）、１０…表示装置、１１…液晶表示パネル、Ｌ…光源
【図１】
2011028874.tif 000003
【図２】
2011028874.tif 000004
【図３】
2011028874.tif 000005
【図４】
2011028874.tif 000006
【図５】
2011028874.tif 000007
【図６】
2011028874.tif 000008
【図７】
2011028874.tif 000009
【図８】
2011028874.tif 000010
【図９】
2011028874.tif 000011
【図１０】
2011028874.tif 000012